(57)【要約】【課題】簡単な構造で組み合わせが容易であり、コンパクトで、安価な、告別式の受付側にも会葬者側にも便利な会葬者お礼用の不祝儀袋。見た目がよく、個人的に名前を記入することができ、懇篤な謝意を表すことができる一方で、再利用ができ、経済的に安価に済ませられるものを提供すること。【解決手段】正面の少なくとも一部分に透明な窓が形成されており、背面には清め塩を入れるポケットが設けられている外袋１と、緑茶などの香料返しを入れた内袋２と、表書きや家名等を記載する所定寸法の紙片３を組み合わせてなる会葬者お礼用の不祝儀袋。外袋１の正面側は、外袋内に入れた紙片３に記載された文字が見られるように透明な部分１２が設けてあり、正面の他の部分は内部が見えないようになされている。外袋１の表側に水引が印刷されている。【選択図】図１
2007331833.tif 000002
【特許請求の範囲】
【請求項１】
正面の少なくとも一部分に透明な窓が形成されており、背面には略式会葬礼状と清め塩を入れるポケットが設けられている外袋と、
香料返しを入れた内袋と、
表書きや家名等を記載する所定寸法の紙片と、を組み合わせてなることを特徴とする会葬者お礼用の不祝儀袋。
【請求項２】
前記外袋に形成された透明な窓は、該外袋内に入れた前記紙片に記載された文字が見えるように形成されており、正面の他の部分は内部が見えないようになされていることを特徴とする請求項１に記載の会葬者お礼用の不祝儀袋。
【請求項３】
前記外袋の表側に水引が印刷されていることを特徴とする請求項１又は２に記載の会葬者お礼用の不祝儀袋。
【請求項４】
前記外袋がプラスチックフィルムで作られたことを特徴とする請求項１乃至３のいずれかに記載の会葬者お礼用の不祝儀袋。
【請求項５】
前記外袋が紙で作られたことを特徴とする請求項１乃至３のいずれかに記載の会葬者お礼用の不祝儀袋。
【請求項６】
前記外袋の幅寸法を背広のポケットに収められる大きさにしたことを特徴とする請求項１乃至５のいずれかに記載の会葬者お礼用の不祝儀袋。
【発明の詳細な説明】
【技術分野】
【０００１】
本発明は、葬儀、告別式などの弔事に際し、会葬者に対して渡される略式会葬礼状や清め塩と香料返しとをひとまとめにして葬儀の会葬者に渡せるようにした会葬者お礼用の不祝儀袋に係り、簡便にこれらのものをセットとしてまとめられるものを提供しようとするものである。
【背景技術】
【０００２】
葬儀、告別式などの弔事に際し、会葬者に対して渡される香料返しとして、一般に例えば緑茶、タオル、ハンカチ、風呂敷、はがき、その他テレホンカードなど各種カードが用いられることが多い。香料返しは、葬儀、告別式などの弔事に来場した会葬者が、受付で記帳して香料を渡したときに、お礼として受付担当者から略式会葬礼状や清め塩と別包みで、同時に渡されることが多い。
【０００３】
ところが、香料返しと略式会葬礼状や清め塩の包みがばらばらであるため、受領後、会葬者が式場に列席し焼香に移ったときに手がふさがっていて扱いに困り、仮置きするにも置き場に困ることが多かった。このような場合に、これらの物が一つにまとまっていて洋服のポケットに入れられれば便利である。
【０００４】
一方、香料返しを渡す側にとっては、香料返しは一般に会葬者の数が読めないために葬儀社などの納入業者から仕入れる場合には多めに購入することになる。しかし、緑茶の包みなど香料返しの表書きに家名などが印刷してあると、返品がきかず無駄な品物を抱え込むことがあった。そこで印刷部分が差し替えでき、しかも会葬者の名前を自由に記入できれば、会葬者の受付け中に受付簿から名前を読み取り、その名前を香料返しに表記することによって、会葬者個人に対する謝意をより丁重懇篤に表すことができ、好ましいこととなる。
【０００５】
従来のこの種、慶弔時の引き出物、香典返し収納用ケースとしては、特許文献１に開示されたもののように、ハンカチ、挨拶状、テレホンカード、袋入り清め塩などの小物を一まとめにしてコンパクトに収納するものとして、二つ折り自在なシート状本体の内側に、慶弔時の引き出物、香典返しを収納する複数のポケット部を設けることにより慶弔時の引き出物、香典返し収納用ケース６１を構成したものがあった。
【０００６】
図６は下記特許文献１に開示された慶弔時の引き出物、香典返し収納用ケースを示す正面図である。
下記特許文献１に示す収納ケースは、図６に示すように、二つ折り自在な略四角形のビニール製シート状本体６２と、四角形のシート状本体６２の両側部７１，７２をそれらの縁辺部間に若干の間隔Ｘをもたせて本体６２の内側に折り返し、かつ、この折り返し部７１，７２の縁辺部６３ａ，６４ａを除く他の全ての縁辺部をシート状本体６２の対応する縁辺部に夫々溶着することによってシート状本体の内側に構成された比較的サイズの大きな第一及び第二のポケット部６３，６４と、第一及び第二のポケット部６３，６４を構成しているシート状本体６２の折り返し部７１、７２における下部表面上に、夫々ほぼ四角形の小さいサイズの第一及び第二のビニール製シート材７３，７４を配置して、これら第一及び第二のビニール製シート材の上縁辺部７３ａ、７４ａを除く他の全ての縁辺部をシート状本体の折り返し部の対応する縁辺部に夫々溶着することによって構成された比較的サイズの小さい第三及び第四のポケット部６５，６６と、を有し、第一及び第二のポケット部６３，６４を構成しているシート状本体６２の折り返し部における溶着されていない縁辺部とシート状本体６２の折り返し部との間に構成された引き出物、香典返し出し入れ口を介してハンカチ、挨拶状等の比較的サイズの大きな引き出物又は香典返しを第一及び第二のポケット部６３、６４内に収納するとともに、第三及び第四のポケット部６５，６６を構成している第一及び第二のシート材７３，７４における溶着されていない上縁辺部とシート状本体の折り返し部７２との間に構成された引き出物、香典返し出し入れ口６５ａ、６６ａを介してテレホンカード、袋入り清め塩等の比較的サイズの小さな引き出物又は香典返しを第三及び第四のポケット部６５，６６内に収納できるようにしている。
【０００７】
しかしながら、このような慶弔時の引き出物、香典返し収納用ケースは、多くの収納部分を持つだけに製造に当たって多くの工数がかかるし、材料のコストや製造コストが高い。また、必ずしも全てのポケットを使用するわけではなく使用しないポケットもあるし、折り返し部分を設けるとかさ張るという欠点があった。
【０００８】
さらに、単に収納をまとめて行なうのみで、焼香の際の問題を解決するものではない。また、香料返しに緑茶袋などを使用した場合の、返品のできない問題を解決するものではない。そして会葬者の名前を自由に記入して、会葬者個人に対する謝意をより懇篤に表すこともできない。
【０００９】
【特許文献１】実用新案登録第３０１０９０３号公報
【発明の開示】
【発明が解決しようとする課題】
【００１０】
そこで、上記のような問題を解決することが望まれている。
本願の発明者は、前記の課題を解決すべく種々検討を行った結果、複雑なポケットを設けるのは最小限にとどめ、弔事にふさわしい体裁を整えた袋をプラスチックフィルムで構成し、香料返しを略式会葬礼状や清め塩と一緒に収納すれば、これらがまとめられて会葬者には取り扱いが便利であり、他方簡単な構造であるから会葬者お礼用の不祝儀袋は安価に製造でき、表書用の紙片を取り替えるのみで再利用でき、返品が可能な無駄の発生しないものとして本発明を完成させるに至ったものである。
【００１１】
すなわち、本発明は簡単な構造で組み合わせが容易であり、コンパクトで、コストが安価な、告別式の受付側にも会葬者側にも便利な会葬者お礼用の不祝儀袋のセットを提供することを目的とする。
【００１２】
また、本発明は、見た目がよく、個人的に名前を記入することができ、懇篤な謝意を表すことができる一方で、再利用ができ、経済的に安価に済ませられる、会葬者お礼用の不祝儀袋を提供することを目的とする。
【課題を解決するための手段】
【００１３】
上記目的は、以下の手段により達成できる。
すなわち、本発明の請求項１に係る会葬者お礼用の不祝儀袋は、
正面の少なくとも一部分に透明な窓が形成されており、背面には略式会葬礼状と清め塩を入れるポケットが設けられている外袋と、
香料返しを入れた内袋と、
表書きや家名等を記載する所定寸法の紙片と、を組み合わせてなることを特徴とする。
【００１４】
本発明の請求項２にかかる発明は、請求項１に記載の会葬者お礼用の不祝儀袋において、前記外袋に形成された透明な窓は、該外袋内に入れた前記紙片に記載された文字が見えるように形成されており、正面の他の部分は内部が見えないようになされていることを特徴とする。
【００１５】
本発明の請求項３にかかる発明は、請求項１又は２に記載の会葬者お礼用の不祝儀袋において、前記外袋の表側に水引が印刷されていることを特徴とする。
【００１６】
本発明の請求項４にかかる発明は、請求項１乃至３のいずれかに記載の会葬者お礼用の不祝儀袋において、前記外袋がプラスチックフィルムで作られたことを特徴とする。
【００１７】
本発明の請求項５にかかる発明は、請求項１乃至３のいずれかに記載の会葬者お礼用の不祝儀袋において、前記外袋が紙で作られたことを特徴とする。
【００１８】
本発明の請求項６にかかる発明は、請求項１乃至５のいずれかに記載の会葬者お礼用の不祝儀袋において、前記外袋の幅寸法を背広のポケットに収められる大きさにしたことを特徴とする。
【発明の効果】
【００１９】
請求項１の発明によると、この会葬者お礼用の不祝儀袋は、表側の少なくとも一部分が透明の窓で裏側には略式会葬礼状と清め塩を入れるポケットが設けられている外袋と、緑茶などの香料返しを入れた内袋と、表書きや家名等を記載する所定寸法の紙片とを組み合わせてなることによって、かさばることなく香料返しの内袋、略式会葬礼状、清め塩を一緒に収納して保持でき、引渡しにも持ち運びにも都合がよい。しかも、単なる透明な袋ではなく、表書きや家名等を記載する紙片が組み合わせられることにより、葬儀にふさわしい丁重さを表すことができる。さらに、紙片の入れ替えによって再利用できるので、返品も可能になり無駄が省けることになる。
【００２０】
請求項２の発明によると、この会葬者お礼用の不祝儀袋は、上述の効果に加えて、外袋の表側の一部分には外袋内に入れた前記紙片に記載された文字が見られるように透明に処理され、他の部分には内部が見えないようにする処理が施されていることによって、中身がむき出しの感じが無くなりかつ外からは「志」などの表書きの字あるいは会葬者の氏名と何々家の文字などが見られるので、会葬者に対して丁重な謝意を表すのにふさわしい外観の袋となる効果がある。特に、表書の文字の代わりに会葬者の姓名を書けば、謝意をより直接的に丁重懇篤に伝えることができる。
【００２１】
請求項３の発明によると、この会葬者お礼用の不祝儀袋は、上述の効果に加えて、外袋の表側に水引が印刷されていることにより会葬者に対して丁重な謝意を表すのにふさわしい外観の袋となる。
【００２２】
請求項４の発明によれば、この会葬者お礼用の不祝儀袋は、上述の効果に加えて、外袋がプラスチックフィルムで作られているので、丈夫で安価で経済的であるという効果がある。
【００２３】
請求項５の発明によれば、この会葬者お礼用の不祝儀袋は、上述の効果に加えて、外袋が紙で作られたことによって、外袋に趣のある印刷を施すことがかのうとなり、会葬者に対して丁重な謝意を表すのにふさわしい袋を提供できるという効果がある。
【００２４】
請求項６の発明によれば、この会葬者お礼用の不祝儀袋は、上述の効果に加えて、外袋の幅寸法を背広のポケットに収められる大きさにしたことによって、焼香のときに背広や礼服のポケットに入れておけるので、便利である。
【発明を実施するための最良の形態】
【００２５】
以下に本発明の実施の形態につき図面を参照して説明する。なお、以下に示す実施態様は、本発明の技術思想を具体化するための会葬者お礼用の不祝儀袋を例示するものであって、本発明をこの態様に限定することを意図するものではなく、種々の変更が可能であり、特許請求の範囲に包含されるその他の実施態様のものにも及ぶことは言うまでもない。
【実施例１】
【００２６】
図１は、本発明にかかる一実施例のプラスチックフィルム製会葬者お礼用の不祝儀袋の構成を説明する正面図、図２は図１に示す会葬者お礼用の不祝儀袋のポケットの取り付け状態を説明する背面図、図３は香料返しが包まれた内袋の一実施例を示す平面図であり、図４は紙片が短冊の場合の実施例を示す平面図である。また、図５は紙片が外袋正面大の実施例を示す平面図である。図６は従来の慶弔事の引き出物、香典返し用ケースを示す平面図である。
【００２７】
本発明の会葬者お礼用の不祝儀袋は、正面の少なくとも一部分に透明な窓が形成されており、背面には略式会葬礼状と清め塩を入れるポケットが設けられている外袋１と、緑茶などの香料返しを入れた内袋２と、表書きや家名等を記載する所定寸法の紙片３とを組み合わせてなるものである。
【００２８】
外袋１は、図1および図２に示すように、矩形状の正面部分１ａ、背面１ｃ、背面に設けられるポケット部分１ｂを備えて構成される。この外袋１は、正面部分１ａに背面のポケット部分１ｂを加えて所定寸法に裁断したポリプロピレン、ポリエステルなどのプラスチックフィルムを二つ折りに折り返し、正面部分１ａとポケット部分１ｂの間に、背面の寸法に裁断したプラスチックフィルムを挟みこんで左右両側の縁辺１１ａ、１１ｂを溶着して袋状にすることにより形成される。両縁辺１１ａ、１１ｂは溶着されることによって、また折り返し部分１１ｃは折り返されることによってそれぞれ閉鎖されているが、他の一辺１１ｄは開口部を形成する。また、外袋１の正面側は上方に延長されて、香料返し等の収容部の開閉可能な蓋１ｄを形成し、背面側に折り返し可能である。正面側に連接するこの封緘部分には、その端部に施された接着剤等１ｅにより背面に接着できるが、不使用時には粘着テープに見られるように接着剤の上にシール防止片１ｆが付着されていて開口状態に保持される。外袋１はプラスチックフィルムで作られており、これによって丈夫で、汚れにも強い利点を有する袋とすることができる。
【００２９】
外袋１の正面部分１ａの中央部には、縦長に透明な部分１２が設けてあり、外袋１内に入れた紙片３に記載された文字が見られるようにされる。正面部分１ａの透明な部分１２を除く他の部分の内面又は外面には、表から内部が見えないように灰色の印刷膜などが施されている。そして、さらに外袋の表側には黒白の水引１３が印刷されている
【００３０】
外袋１の背面側には、浅いポケットが形成される。このポケット部分１ｂは、上述したように、正面部分１ａから延長したプラスチックフィルムの短い小片を背面側に折り返しし、その左右両側の二辺を背面１ｃの左右両側の縁辺１１ａ、１１ｂに溶着して形成される。このポケットには、図示しないはがきに印刷されている略式会葬礼状と清め塩が収納される。外側面のポケットであるので、清め塩は速やかに取り出しやすい。なお、溶着は必要に応じて底辺部分にも行なってもよい。
【００３１】
外袋１は、緑茶などの厚みのある香料返しを入れるため、奥行きとして若干の余裕が取れる寸法に形成されるのが好ましい。また、外袋の幅寸法を背広のポケットに収められる大きさにすると、会葬者は焼香のときなどにこの袋を一時的に背広の内ポケット等に入れて必要な動作ができるので、望ましい。はがき大よりやや大きい寸法であれば、通常の背広の内ポケットに収納できるが、例えば袱紗包みと同等の１２０ｍｍ×２００ｍｍ程度ならば差し支えない。
【００３２】
香料返しは、外袋とは別の内袋２に入れられている。緑茶などが内袋２で包装されているのは勿論であるが、タオル、ハンカチ、風呂敷、はがき、その他テレホンカードなど各種カードも内袋に入れた状態にして保存しておくなら、外袋１と組み合わせるのが便利であるし、汚れなどがつかないので、好ましい。
【００３３】
表書きや家名等を記載する紙片３の大きさまた寸法は、外袋１の中に挿入された際に安定に保持され、印刷された表書３ａや家名３ｂあるいは受付で書かれた会葬者の氏名３ｃが所定の位置で安定するような寸法に定められている。例えば、図４に示すように、正面中央で保持され、外袋１に設けられた透明な部分１２から記載された字が現れるようにした縦長の短冊状の紙片３１であってもよいし、図５に示すように、外袋１の正面部分１ａと略同じ大きさであってその中央に縦に字が記載された紙片３２であってもよい。後者の場合には、大きさが外袋１の面と略同じであるので袋の中で安定する。さらに後者の場合には、中央の字が書かれる部分以外の部分に弔事にふさわしい図柄の印刷などを施して、外袋の装飾に代えることもできる。表書きには、贈答の趣旨を示す例えば「志」と何々家という文字を印刷したり、また、表書の文字の代わりに会葬者の姓名を書いたりして、謝意をより直接的に丁重懇篤に伝えることができる。
【００３４】
以上には、外袋１がプラスチックフィルムで作られた例について述べたが、プラスチックフィルムとして分解性フィルムを使用すれば環境にやさしい包装とすることができる。或いは、外袋１は紙で作られていてもよく、外袋が紙の場合には、その透明な部分は切り抜かれて窓状にされたり、透明のフィルムが張られたりしている。外袋が紙の場合には、模様、色彩などに深みのあるデザインを施すことが可能となる。
【００３５】
外袋１には、緑茶などの香料返しを入れた内袋２と、表書きや家名等を記載する所定寸法の紙片３が組み合わされて販売される。告別式や葬儀においてはさらに背面のポケットに略式会葬礼状と清め塩が入れられて配布される。
【００３６】
上記の実施例にかかわらず、外袋１の寸法や形体は、収納する香料返しの種類や大きさに応じて適宜設定することができる。又、製造の形体方法も、例えばプラスチックフィルムを、内袋２が納まり易いように、様々な形体に裁断して張り合わせて製造することも可能である。
【００３７】
本発明の、会葬者お礼用の不祝儀袋は、キットにして保有しておけば必要時に組み合わせて使用することができる。その場合には、分離して保有しておいてもよいし、また、外袋１に香料返しの内袋２と清め塩とを組み合わせたものを保有しておいて、販売の際にさらに紙片３と略式会葬礼状を組み合わせるようにしてもよい。かかる会葬者お礼用の不祝儀袋は、構造が簡単であるので、取り扱いが容易で、組み合せ作業を迅速、的確かつ効率的に行うことができる。
【００３８】
このように、本発明に係る会葬者お礼用の不祝儀袋によると、弔事にふさわしい体裁を整えた袋をプラスチックフィルムや紙で構成し、香料返しを略式会葬礼状や清め塩と一緒にまとめられて収納できるので、会葬者には取り扱いが便利となる。他方、この袋は簡単な構造であるから、袋は安価に製造でき、表書用の紙片を取り替えるのみで再利用でき、返品が容易で無駄の発生を防止できる。
【図面の簡単な説明】
【００３９】
【図１】図１は、本発明にかかる実施例のプラスチックフィルム製会葬者お礼用の不祝儀袋の構成を説明する正面図である。
【図２】図２は、図１に示す会葬者お礼用の不祝儀袋のポケットの取り付け状態を説明する背面図である。
【図３】図３は、香料返しが包まれた内袋の一実施例を示す平面図である。
【図４】図４は、紙片が短冊の場合の実施例を示す平面図である。
【図５】図５は、紙片が外袋正面大の実施例を示す平面図である。
【図６】図６は、従来の慶弔事の引き出物、香典返し用ケースを示す正面図である。
【符号の説明】
【００４０】
１              外袋
１ａ            正面部分
１ｂ            ポケット部分
１ｃ            背面
１ｄ            蓋
１ｅ            接着剤等
１ｆ            シール防止片
２              内袋
３              紙片
１１ａ、１１ｂ  縁辺
１１ｃ          折り返し部分
１２            透明な部分
【図１】
2007331833.tif 000003
【図２】
2007331833.tif 000004
【図３】
2007331833.tif 000005
【図４】
2007331833.tif 000006
【図５】
2007331833.tif 000007
【図６】
2007331833.tif 000008